(57)【要約】      （修正有）【課題】屋外設置が可能な電気式脱イオン水製造装置を提供する。【解決手段】カバー付電気式脱イオン水製造装置２は、電気式脱イオン水製造装置２０Ａと、電気式脱イオン水製造装置２０Ａの上面を覆う上面パネル７１と、電気式脱イオン水製造装置２０Ａの側面を全周に渡って覆う複数の側面パネル７２と、を有し、側面パネル７２はＥＤＩ２０Ａの各側面を覆う計４つのパネルからなっており、上面パネル７１はＥＤＩ２０Ａの上面の全面を覆っており、各側面パネル７２はＥＤＩ２０Ａの各側面の全面を覆って、各側面パネル７２はＥＤＩ２０Ａの各側面の横方向の全域だけでなく、高さ方向についてもほぼ全域を覆って、上面パネル７１と側面パネル７２の間及び側面パネル７２同士の間は好ましくはコーキング処理される。【選択図】図３
2020032385.tif 000002
【特許請求の範囲】
【請求項１】
樹脂製のフレームを有する電気式脱イオン水製造装置と、
前記電気式脱イオン水製造装置の上面を覆う上面パネルと、
前記電気式脱イオン水製造装置の側面を全周に渡って覆う複数の側面パネルと、
を有するカバー付電気式脱イオン水製造装置。
【請求項２】
前記電気式脱イオン水製造装置は前記側面から外側に延びる配管を有し、少なくとも一つの前記側面パネルは互いに独立して着脱可能な第１の部分と第２の部分とを有し、前記第１の部分は第１の切欠きを有し、前記第２の部分は第２の切欠きを有し、前記第１の切欠きと前記第２の切欠きは前記配管が貫通する開口を協働して形成する、請求項１に記載のカバー付電気式脱イオン水製造装置。
【請求項３】
少なくとも一つの前記側面パネルはガラリ開口を有している、請求項１または２に記載のカバー付電気式脱イオン水製造装置。
【請求項４】
前記上面に固定された梁部材と、前記梁部材に固定されたフレーム部材と、を有し、前記フレーム部材は前記電気式脱イオン水製造装置から間隔をあけて前記電気式脱イオン水製造装置の周囲に配置され、前記側面パネルは前記フレーム部材に支持され、前記上面パネルは前記フレーム部材と前記梁部材の少なくともいずれかに支持される、請求項１から３のいずれか１項に記載のカバー付電気式脱イオン水製造装置。
【請求項５】
前記電気式脱イオン水製造装置は前記上面に第１のネジ穴を有し、
前記梁部材は前記第１のネジ穴に締結具で固定されるとともに、上面に第２のネジ穴を有し、
前記上面パネルは貫通孔を有し、
前記貫通孔を通って前記第２のネジ穴に係合する吊具を有し、前記吊具は前記第１のネジ穴に係合可能なネジ部を有する、請求項４に記載のカバー付電気式脱イオン水製造装置。
【請求項６】
前記電気式脱イオン水製造装置は、前記フレームの外部にあって被処理水、処理水、濃縮水または電極水が流通可能なチューブを有し、前記チューブは黒色の樹脂製チューブからなる、請求項１から５のいずれか１項に記載のカバー付電気式脱イオン水製造装置。
【請求項７】
請求項１から６のいずれか１項に記載のカバー付電気式脱イオン水製造装置と、
前記カバー付電気式脱イオン水製造装置の上流に設けられた逆浸透膜装置と、
を有する純水製造装置。
【請求項８】
前記カバー付電気式脱イオン水製造装置に直流電源を供給する直流電源装置と、
前記直流電源装置を覆う電源パネル部材と、
を有する、請求項７に記載の純水製造装置。
【発明の詳細な説明】
【技術分野】
【０００１】
本発明はカバー付電気式脱イオン水製造装置と純水製造装置に関する。
【背景技術】
【０００２】
脱イオン水製造装置として薬剤によるイオン交換体の再生が不要な電気式脱イオン水製造装置（以下、ＥＤＩともいう）が知られている（特許文献１，２）。ＥＤＩでは、イオン交換体のイオン交換基が飽和して脱塩性能が低下したときに、イオン交換基に吸着したカチオンやアニオンが水素イオンや水酸化物イオンで置換されるため、薬剤を使用する必要がない。そのため、ＥＤＩでは薬剤の使用量を抑えつつ、純度の高い純水を製造することが可能となる。特許文献２には、ＥＤＩを含む純水製造装置をキャビネットに収容したユニット型の純水製造装置が開示されている。
【先行技術文献】
【特許文献】
【０００３】
【特許文献１】特開２０１５−８０７６５号公報
【特許文献２】特開２０１４−１８８４６５号公報
【発明の概要】
【発明が解決しようとする課題】
【０００４】
ＥＤＩを含む純水製造装置は、従来屋内に設置されて使用されている。その理由として、ＥＤＩの脱塩室、濃縮室、電極室等を構成するフレームが耐候性に劣る樹脂で製造されていることが挙げられる。しかし、純水製造装置を屋外設置することができれば、コストの低減や配置の制約の緩和が可能となる。
【０００５】
本発明は屋外設置が可能な電気式脱イオン水製造装置を提供することを目的とする。
【課題を解決するための手段】
【０００６】
本発明のカバー付電気式脱イオン水製造装置は、電気式脱イオン水製造装置と、電気式脱イオン水製造装置の上面を覆う上面パネルと、電気式脱イオン水製造装置の側面を全周に渡って覆う複数の側面パネルと、を有する。
【発明の効果】
【０００７】
本発明によれば、電気式脱イオン水製造装置は上面を上面パネルで、側面を複数の側面パネルで覆われるため、屋外設置が可能となる。
【図面の簡単な説明】
【０００８】
【図１】本発明の一実施形態に係る純水製造装置の全体構成を示す図である。
【図２】ＥＤＩの構成を示す概略断面図である。
【図３】ＥＤＩに取り付けたカバー部材の概略斜視図である。
【図４】図３に示すカバー部材の分解斜視図である。
【図５】梁部材と吊フックの断面図である。
【図６】電源パネル部材の正面図である。
【発明を実施するための形態】
【０００９】
図面を参照して本発明の実施形態について説明する。
【００１０】
図１は本発明の一実施形態に係る純水製造装置１の全体構成を示している。純水製造装置１は、原水タンク１１に貯蔵された被処理水である原水を順次処理して純水を製造するように、様々な設備が被処理水の流れる方向に沿って直列配置されている。原水タンク１１の原水は原水ポンプ１２によって除濁膜装置１３に送られる。除濁膜装置１３は複数の限外ろ過膜（ＵＦ）モジュールからなり、原水に含まれる高分子物質、コロイド状物質などの濁質分、菌類等を除去してろ過水を生成する。ろ過水はろ過水タンク１４に貯蔵され、さらに第１の逆浸透膜（ＲＯ）ポンプ１５で第１の逆浸透膜（ＲＯ）装置１６に送られ、塩などが除去される。ろ過水はさらに第２のＲＯポンプ１７で第２の逆浸透膜（ＲＯ）装置１８に送られ、純度がさらに高められる。第１のＲＯ装置１６と第２のＲＯ装置１８で浄化されたろ過水は脱炭酸膜装置１９に送られ、炭酸が除去される。炭酸を除去された脱炭酸水はＥＤＩ２０Ａ，２０Ｂに送られ、イオン成分がさらに除去された純水が生成され、純水タンク２１に貯蔵される。脱炭酸膜装置がＥＤＩ２０Ａ，２０Ｂの上流に設けられているのは、ＥＤＩ２０Ａ，２０Ｂに充填されるイオン交換樹脂が炭酸による劣化を受けやすいためである。原水タンク１１から純水タンク２１までの各装置、タンク等は予め複数のユニットのいずれかに組み込まれ、現場でこれらのユニットを連結することで，純水製造装置１を構成することができる。図１では２つのＥＤＩ２０Ａ，２０Ｂが並列設置されているが、１台のＥＤＩだけを設けることもできる。ＥＤＩ２０Ａ，２０Ｂは高圧の直流電圧が印加されるため、直流電源を供給する直流電源装置２２Ａ，２２ＢがＥＤＩ毎に設けられている。本実施形態は純水製造装置を対象とするが、超純水製造装置と超純水製造装置に用いられるＥＤＩも本発明の範囲に含まれる。
【００１１】
図２はＥＤＩのより詳細な構成を示している。２つのＥＤＩ２０Ａ，２０Ｂは同じ構成を有しているため、ここではＥＤＩ２０Ａの構成について説明する。なお、図２では見易くするため、ＥＤＩ２０Ａの構成要素を互いに離して表示している。ＥＤＩ２０Ａの両端には陽極室３１と陰極室３６が設けられ、その間に濃縮室３２，３５と脱塩室３３，３４が交互に配置されている。図示のＥＤＩ２０Ａでは、陽極室３１と第１の濃縮室３２と第１の脱塩室３３と第２の脱塩室３４と第２の濃縮室３５と陰極室３６とがこの順で配置されている。第１の脱塩室３３と第２の脱塩室３４にはイオン交換樹脂が充填されており、第１の濃縮室３２、第２の濃縮室３５、陽極室３１及び陰極室３６にもイオン交換樹脂が充填されていてよい。個々の濃縮室３２，３５と脱塩室３２，３３は、開口のあいたフレームと、フレームの両側に設けられたイオン交換膜とによって構成されている。具体的には、図示のＥＤＩ２０Ａでは、陽極室３１の側壁４１と、陽極室３１のフレーム４２と、アニオン交換膜４３と、第１の濃縮室３２のフレーム４４と、カチオン交換膜４５と、第１の脱塩室３３のフレーム４６と、中間イオン交換膜４７と、第１の脱塩室３３のフレーム４８と、アニオン交換膜４９と、第２の濃縮室３５のフレーム５０と、カチオン交換膜５１と、陰極室３６のフレーム５２と、陰極室３６の側壁５３と、がこの順で配置されている。中間イオン交換膜４７はアニオン交換膜でもカチオン交換膜でもよく、アニオン交換膜とカチオン交換膜の両者を備えたバイポーラ膜でもよい。これらの側壁とフレームとイオン交換膜を直列配置したものはスタック２３とも呼ばれる。陽極室３１の側壁４１、陰極室３６の側壁５３、各フレーム４２，４４，４６，４８，５０，５２は樹脂で形成されている。脱塩室と濃縮室の数は上記のものに限定されず、より多くの脱塩室と濃縮室が設けられてもよい。
【００１２】
被処理水は供給配管Ｌ１によって第１の脱塩室３３に供給される。ＥＤＩ２０Ａの入口側で、供給配管Ｌ１から、第１及び第２の濃縮室３４，３５に被処理水を供給する供給配管Ｌ２が分岐し、さらに第１及び第２の濃縮室３４，３５への供給配管Ｌ２から、陰極室３６に被処理水（電極水）を供給する供給配管Ｌ３が分岐している。第１の脱塩室３３の出口と第２の脱塩室３４の入口は連絡配管Ｌ４で接続されている。すなわち、第１の脱塩室３３と第２の脱塩室３４は直列に接続されている。第１の脱塩室３３に供給された被処理水は第１の脱塩室３３でイオン成分を除去され、さらに第２の脱塩室３４でイオン成分を除去されて処理水となり、出口配管Ｌ５を通って純水タンク２１に移送される。被処理水に含まれるイオン成分は第１及び第２の濃縮室３２，３５に移動し、第１及び第２の濃縮室３２，３５を流通する被処理水は濃縮水となって、出口配管Ｌ６から系外に排出される。陰極室３６を出た被処理水（電極水）は陽極室３１に供給され、その後系外に排出される。陰極室３６の出口と陽極室３１の入口は連絡チューブＬ７で接続されている。すなわち、陰極室３６と陽極室３１は直列に接続されている。
【００１３】
連絡配管Ｌ４にはサンプリング装置Ｓ１が設けられている。サンプリング装置Ｓ１は連絡配管Ｌ４の近傍に取り付けられたサンプリング弁６１と、その下流に設けられたサンプリングチューブ６２とを有している。サンプリング弁６１を開放することで連絡配管Ｌ４を流れる被処理水をサンプリングすることができる。処理水の出口配管Ｌ５と濃縮水の出口配管Ｌ６にも、同様のサンプリング弁６１とサンプリングチューブ６２を備えたサンプリング装置Ｓ２，Ｓ３が設けられている。これらのサンプリングチューブ６２は従来ナイロン等の透明な樹脂で形成されていたが、本実施形態では黒色または暗色の樹脂製（例えばナイロン製）チューブであることが好ましい。ＥＤＩ２０Ａを屋外設置する場合、日光の直射などによってサンプリングチューブ６２の内面に藻やスライムが発生し、サンプリング水の水質が影響を受ける可能性がある。チューブを黒色または暗色にすることで光がサンプリングチューブ６２の内部に透過しにくくなるため、サンプリングチューブ６２の内部を清浄な状態に保つことができる。サンプリング点は上記以外の位置に設けることもできるが、被処理水、処理水、濃縮水、電極水などのサンプリングを行うものである限り同様の構成とすることができる。
【００１４】
陽極室３１と陰極室３６とを結ぶ連絡チューブＬ７も黒色または暗色の樹脂製チューブで形成されている。陽極室３１と陰極室３６を流れる電極水の流量は脱塩室３３，３４を流れる被処理水や濃縮室３２，３５を流れる濃縮水の流量と比べてはるかに小さいため、配管ではなく樹脂製のチューブが使用されている。連絡チューブＬ７はスタック２３の一端に位置する陽極室３１と他端に位置する陰極室３６とを接続するものであるため、スタック２３の外部を引き回される。この結果、上述のサンプリングチューブ６２と同様の問題が発生する可能性があり、サンプリングチューブ６２と同様、黒色または暗色の樹脂製チューブとすることが望ましい。より一般的には、フレームないしスタック２３の外部にあって被処理水、処理水、濃縮水または電極水が流通するチューブは黒色または暗色の樹脂製チューブで形成されることが望ましい。
【００１５】
次に、図３〜５を参照してＥＤＩ２０Ａを覆うカバー部材７について説明する。図３，４において、スタック２３の積層方向を奥行き方向Ｘといい、スタック２３の奥行き方向Ｘと直交する方向を幅方向Ｙという。奥行き方向Ｘと幅方向Ｙは水平方向を向いており、鉛直方向Ｚと直交している。カバー部材７で覆われたＥＤＩ２０Ａはカバー付電気式脱イオン水製造装置２を構成する。図３はカバー付電気式脱イオン水製造装置２の斜視図を、図４はカバー部材７の分解斜視図を、図５は梁部材７３と吊具７５の断面図を示している。カバー部材７は、ＥＤＩ２０Ａの上面を覆う上面パネル７１と、ＥＤＩ２０Ａの側面を全周に渡って覆う複数の側面パネル７２と、を有している。側面パネル７２はＥＤＩ２０Ａの各側面を覆う計４つのパネルからなっている。図４では、手前側及び右側の側面パネル７２の図示を省略している。上面パネル７１はＥＤＩ２０Ａの上面の全面を覆っており、各側面パネル７２はＥＤＩ２０Ａの各側面の全面を覆っている。すなわち、各側面パネル７２はＥＤＩ２０Ａの各側面の横方向の全域だけでなく、高さ方向についてもほぼ全域を覆っている。上面パネル７１と側面パネル７２はポリ塩化ビニール（ＰＶＣ）などの樹脂で作成され、以下に述べる梁部材７３とフレーム部材７４とによって支持されている。上面パネル７１と側面パネル７２の間及び側面パネル７２同士の間は好ましくはコーキング処理される。
【００１６】
梁部材７３はＥＤＩ２０Ａの上面２０１に固定されている。図５を参照すると、ＥＤＩ２０Ａは上面２０１に第１のネジ穴２０２を有している。梁部材７３はＣ形鋼ないし溝形鋼からなり、下側フランジ７３１に第１のネジ穴２０２と重なる第１の貫通孔７３２が形成されている。梁部材７３は、第１の貫通孔７３２を通り第１のネジ穴２０２に係合するボルトなどの締結具７６によってＥＤＩ２０Ａに固定されている。梁部材７３の上面、すなわち上側フランジ７３３には第２の貫通孔７３４が形成され、上面パネル７１には第２の貫通孔７３４と重なる貫通孔７１１が形成されている。リング部７５Ａとネジ部７５Ｂを有する吊具７５のネジ部７５Ｂが上面パネル７１の貫通孔７１１と梁部材７３の第２の貫通孔７３４に通され、下側からナット７７で締結されている。これによって、梁部材７３がＥＤＩ２０Ａの上面２０１に固定されるとともに、吊具７５が梁部材７３に固定される。
【００１７】
吊具７５のネジ部７５Ｂは第１のネジ穴２０２に係合可能である。具体的には、吊具７５は屋内設置される一般的なＥＤＩではＥＤＩの第１のネジ穴２０２に直接固定されていたものである。本実施形態では、ＥＤＩ２０Ａを屋外に設置するために、吊具７５をＥＤＩ２０Ａから取り外し、吊具７５とＥＤＩ２０Ａとの間に梁部材７３を設置している。ＥＤＩ２０Ａの第１のネジ穴２０２と吊具７５は一般的なＥＤＩにおいて最初から備えられているものであり、屋外設置のために新たに導入するのは梁部材７３だけである。本実施形態ではこのように従来の屋内設置される一般的なＥＤＩからの変更が最小限に抑えられている。なお、吊具７５は重量物であるＥＤＩ２０Ａの吊り上げ用に設けられているものであるが、本実施形態においても吊具７５としての機能に差異はない。また、図示は省略しているが、本実施形態においては２つの梁部材７３が設けられ（図３において、梁部材７３のＸ方向奥側に梁部材７３と平行な他の梁部材が設けられている）、それぞれに２つの吊具７５が固定されている。
【００１８】
図４を参照すると、フレーム部材７４はＬ形鋼ないし山形鋼からなり、互いに延在方向が異なる３種類のＬ形鋼（第１〜第３のＬ形鋼７４Ａ，７４Ｂ，７４Ｃ）を組み合わせることによって構成されている。図４においては、見易くするため、第１〜第３のＬ形鋼７４Ａ，７４Ｂ，７４Ｃは互いに離れるように表示し、上面パネル７１もフレーム部材７４から離れるように表示している。第１のＬ形鋼７４Ａは２本設けられ（図４では１本のみ図示）、ＥＤＩ２０Ａの斜め上方をスタック２３の幅方向Ｙにおける両側縁部に沿って、概ね奥行き方向Ｘに延びている。第２のＬ形鋼７４Ｂは２本設けられ（図４では１本のみ図示）、ＥＤＩ２０Ａの斜め上方をスタック２３の奥行き方向Ｘにおける両側縁部に沿って、概ね幅方向Ｙに延びている。第１のＬ形鋼７４Ａと第２のＬ形鋼７４Ｂと梁部材７３は鉛直方向Ｚに関してほぼ同じ高さ位置に設けられ、側方視でＥＤＩ２０Ａの上面２０１より上方にある。第３のＬ形鋼７４Ｃは４本設けられ（図４では２本のみ図示）、ＥＤＩ２０Ａの４つのコーナー部に沿って鉛直方向Ｚに延びている。換言すれば、第３のＬ形鋼７４Ｃは第１のＬ形鋼７４Ａ（またはその延長線）と第２のＬ形鋼７４Ｂ（またはその延長線）の交点から鉛直方向Ｚ下方に延びている。本実施形態では第３のＬ形鋼７４Ｃが第１のＬ形鋼７４Ａと溶接等によって接合され、第２のＬ形鋼７４Ｂが第３のＬ形鋼７４Ｃに溶接等によって接合されているが、第１のＬ形鋼７４Ａと第２のＬ形鋼７４Ｂが直接接合されてもよい。第１〜第３のＬ形鋼７４Ａ，７４Ｂ，７４Ｃの各々において、互いに直交する２つの面７８の法線は、奥行き方向Ｘ、幅方向Ｙ、鉛直方向Ｚのいずれかを向いている。これによって、第１〜第３のＬ形鋼７４Ａ，７４Ｂ，７４Ｃの面７８に上面パネル７１または側面パネル７２をしっかりと取り付けることが可能となっている。
【００１９】
このように、フレーム部材７４は梁部材７３に固定され、且つＥＤＩ２０Ａから間隔をあけてＥＤＩ２０Ａの周囲に配置されている。つまり、フレーム部材７４はＥＤＩ２０Ａに直接支持されるのではなく梁部材７３によって間接的にＥＤＩ２０Ａに支持されるため、ＥＤＩ２０Ａの側面にフレーム部材７４を固定するための固定具などを設ける必要がない。この結果、従来の屋内設置用のＥＤＩからの変更が最小限に抑えられている。
【００２０】
上面パネル７１と側面パネル７２はボルトなどの適宜の締結具７９（図３参照）によってフレーム部材７４に支持される。また、上面パネル７１と側面パネル７２は締結具７９を緩めることによってフレーム部材７４から取り外すことができる。上面パネル７１は本実施形態ではフレーム部材７４に支持されているが、梁部材７３に支持されていてもよく、両者に支持されていてもよい。フレーム部材７４がＥＤＩ２０Ａから間隔をあけて取り付けられるため、上面パネル７１と側面パネル７２もＥＤＩ２０Ａから間隔をあけて取り付けられる。また、一つ若しくは複数の側面パネル７２にはガラリ開口８０が形成されている。ＥＤＩ２０Ａは高電圧の直流電流を印加されるため、発熱しやすく、適切に放熱を行う必要がある。これらの構成によって、ＥＤＩ２０Ａで生じた熱がＥＤＩ２０Ａと上面パネル７１ないし側面パネル７２との間の空間に放熱され、さらにガラリ開口８０から外部に逃げるようにされているため、放熱を適切に行うことができる。暖められた空気を効率的に逃がすため、ガラリ開口８０は側面パネル７２の上部に設けることが好ましい。
【００２１】
ＥＤＩ２０Ａの側面には側面から外側に向けて延びる様々な配管が設置されている。このため、側面パネル７２の取り付け、取り外しの際にこれらの配管との干渉を避けるため、側面パネル７２は分割構造を有している。例えば、図３に示す例では、ＥＤＩ２０Ａの側面から被処理水の供給配管Ｌ１、処理水の出口配管Ｌ５、濃縮水の供給配管Ｌ２及び出口配管Ｌ６が外側に向けて延びている。このうち被処理水の供給配管Ｌ１と、処理水の出口配管Ｌ５と、濃縮水の供給配管Ｌ２は同じ高さレベルでＥＤＩ２０Ａに接続されているため、側面パネル７２はこの位置で第１の部分７２Ａと第２の部分７２Ｂに分割されている。第１の部分７２Ａと第２の部分７２Ｂは互いに独立してフレーム部材７４に対して着脱可能である。第１の部分７２Ａは下側に開いた第１の切欠き７２１を有し、第２の部分７２Ｂは上側に開いた第２の切欠き７２２を有している。そして、第１の部分７２Ａと第２の部分７２Ｂが取り付けられたときに、第１の切欠き７２１と第２の切欠き７２２は配管Ｌ１，Ｌ２，Ｌ５が貫通する開口８１を協働して形成する。なお、濃縮水の出口配管Ｌ６はＥＤＩ２０Ａの下部に接続されているため、側面パネル７２の第２の部分７２Ｂをさらに分割する必要はなく、第２の部分７２Ｂの下端に出口配管Ｌ６が貫通可能な切欠き７２３が形成されている。
【００２２】
取り付け、取り外しの際の作業性を向上させるために上面パネル７１を分割構造にすることもできる。例えば、上面パネル７１を奥行き方向Ｘに２以上のパネルに分割することができる。同様に、各側面パネル７２についても、他の配管の貫通部及び配管の貫通部以外の位置でさらに分割することができる。例えば、側面パネルを奥行き方向Ｘまたは幅方向Ｙに２以上のパネルに分割することができる。さらに、ＥＤＩ２０Ａの下部と対向する位置に、第１のＬ形鋼７４Ａと平行なＬ形鋼と、第２のＬ形鋼７４Ｂと平行なＬ形鋼と、を設けてもよい。
【００２３】
上述のように、これまでの純水製造設備は屋内に設置されており、その理由として、ＥＤＩのフレームが耐候性に劣る樹脂で形成されていることが挙げられる。しかし、純水製造設備を構成する他の装置で耐候性に問題のあるものは少なく、例えばポンプなどは、屋外仕様のものを選定可能である。換言すれば、ＥＤＩ以外の設備は屋外設置が可能であるのに、ＥＤＩの屋外設置ができないために、従来は純水製造設備全体を屋内設置していた。ＥＤＩ以外の設備を屋外設置してＥＤＩだけを屋内設置することも可能ではあるが、その場合、ＥＤＩと屋内設置される設備とを接続する配管が長くなること、それに伴い配管の圧力損失が増加しポンプの動力費が増加することなどのデメリットが生じる。ＥＤＩと屋内設置される設備とを近接配置すればこのようなデメリットは緩和されるが、その場合、純水製造設備の配置や、屋内設置される他の設備の配置が制約される可能性がある。本実施形態ではＥＤＩを屋外設置可能とすることで純水製造設備全体を屋外設置することができるため、このようなデメリットが生じることがない。また、屋外設置のためのカバー部材７を設けるのはＥＤＩ２０Ａ，２０Ｂだけでよく、他の設備にカバー部材７を設ける必要はない。このため、純水製造設備の屋外仕様化に伴う追加コストも最小限に抑えられる。
【００２４】
上述のように、ＥＤＩを含む純水製造装置の各設備は予めユニット化されるが、配置スペースの関係で直流電源装置２２Ａ，２２Ｂがユニット化できない場合がある。その場合、直流電源装置２２Ａ，２２Ｂは単独で屋外設置する可能性が生じるため、直流電源装置２２Ａ，２２Ｂはカバー部材（以下、電源パネル部材９という）で覆うことが望ましい。図６は電源パネル部材９の正面図を示しており、電源パネル部材９は直流電源装置２２Ａ，２２Ｂの少なくとも上面と側面とを覆っている。電源パネル部材９の正面には正面扉を開くための錠部９１と電源の状態を示す表示窓９２が設けられている。屋外設置がし易いように、電源パネル部材９は架台９３に支持されている。なお、配置スペースに問題のない場合、直流電源装置２２Ａ，２２ＢをそれぞれＥＤＩ２０Ａ，２０Ｂと一緒にカバー部材７に収容してもよいことはいうまでもない。
【符号の説明】
【００２５】
１  純水製造装置
２  カバー付電気式脱イオン水製造装置
９  電源パネル部材
１６，１８  逆浸透膜（ＲＯ）装置
２０Ａ，２０Ｂ  電気式脱イオン水製造装置（ＥＤＩ）
２０２  第１のネジ穴
２２Ａ，２２Ｂ  直流電源装置
６２  サンプリングチューブ
７１  上面パネル
７１１  貫通孔
７２  側面パネル
７２Ａ  第１の部分
７２Ｂ  第２の部分
７２１  第１の切欠き
７２２  第２の切欠き
７３  梁部材
７３４  第２の貫通孔
７４  フレーム部材
７４Ａ  第１のＬ形鋼
７４Ｂ  第２のＬ形鋼
７４Ｃ  第３のＬ形鋼
７５  吊具
８０  ガラリ開口
８１  開口
Ｌ１  被処理水供給配管
Ｌ２  濃縮水供給配管
Ｌ３  電極水供給配管
Ｌ４  連絡配管
Ｌ５  処理水出口配管
Ｌ６  濃縮水出口配管
Ｌ７  陰極室〜陽極室連絡チューブ
【図１】
2020032385.tif 000003
【図２】
2020032385.tif 000004
【図３】
2020032385.tif 000005
【図４】
2020032385.tif 000006
【図５】
2020032385.tif 000007
【図６】
2020032385.tif 000008